(57)【要約】      （修正有）【課題】組み立てと分解が簡単な吊り式収納棚を提供する。【解決手段】吊り式収納棚は、複数の吊り帯１、複数の柱体２、及び、複数の層板３からなり、吊り帯１は、吊り帯１の一側辺に沿って分布する複数の開口１２を有する。開口１２のもう一辺は封閉端である。層板３は、吊り帯１が穿過する槽孔３１を有し、吊り帯１が層板３の槽孔３１を穿過した後、開口１２は層板下面に位置し、その後、柱体２を開口内に塞入し、層板３を支承して吊り式収納棚を構成する。吊り帯１は、最上端の層板３上に吊り棒を掛ける環状部分を形成する。吊り帯１の一面は複数の帯環と長孔を設置して、吊り帯１が層板３の槽孔３１を穿過した後、帯環が層板３の側辺を環繞して長孔に穿過し、その後、柱体２を帯環内に塞入して、柱体２により吊り帯１を固定し、層板３を支承する。【選択図】図４
0003148049.tif 000002
【実用新案登録請求の範囲】
【請求項１】
吊り式収納棚であって、
縦向けの縫い線と横向けの縫い線で、一側辺に複数の開口を形成し、もう一辺に封閉端を形成する複数の吊り帯と、
前記吊り帯の開口内にそれぞれ塞入され、前記開口が自然に閉合する複数の柱体と、
前記吊り帯が穿過する複数の槽孔を有し、且つ、前記槽孔の内径は前記柱体の直径より小さく、前記吊り帯が前記槽孔を穿過した後、前記開口が下面に位置し、前記柱体が前記開口内に塞入して支承され、吊り式収納棚を構成する複数の層板と、からなり、
前記吊り帯は最上端の前記層板上方で吊り棒を掛ける環状部分を形成することを特徴とする吊り式収納棚。
【請求項２】
前記吊り帯の一面に、長さ方向に沿って分布する複数の帯環と長孔を有し、前記吊り帯が前記層板の槽孔を穿過した後、前記帯環が前記層板の側辺を環繞して前記長孔に穿過し、前記柱体を前記帯環内に塞入して、前記柱体により前記吊り帯を固定し、前記層板を支承することを特徴とする請求項１に記載の吊り式収納棚。
【考案の詳細な説明】
【技術分野】
【０００１】
本考案は、組み立てと分解が簡単な吊り式収納棚に関するものである。
【背景技術】
【０００２】
公知のクローゼットや棚は全て固定式であり、使用者は必要に応じて変化させたり、任意に位置を変えて再組み立てするということができない。もし、このような功能を得ようとするならば、通常は、ナイロン布でできた簡易式収納棚を購買しなければならないが、この種の収納棚は質感が悪く、また、丈夫でない。
【０００３】
もう一種の公知の吊り式収納棚は、帆布を縫製してなり、複数の物品収納空間を有し、空間を仕切り、物品を放置する水平面は軟質の帆布でもよい。物品を放置する時、質感が軟らかく、しっかりと支承されない感じがある。この他、公知の吊り式収納棚は、正面以外のその他の各面が封閉されているので、視覚上、透視感がない。
【考案の開示】
【考案が解決しようとする課題】
【０００４】
本考案の目的は、公知の固定式収納棚の使用者による任意の変更、分解、再組み立てが出来ない、また、ビニール布や帆布でできた簡易式の吊り式収納棚の丈夫でない、美しくない、且つ、透視感が提供できない等の欠点を改善する吊り式収納棚を提供することにある。
【課題を解決するための手段】
【０００５】
本考案の特徴は、複数の吊り帯により、複数の硬質層板を穿設し、適当に固定し、複数層の置物空間を有する吊り式収納棚を直列し、層板の硬質材料により、物品の放置が更に便利になり、吊り帯により各層板を直列して構成される吊り式収納棚は、空間透視感を有し、美観である。
【考案の効果】
【０００６】
本考案吊り式収納棚は、物品の放置が更に安定し、空間透視感を有し、美観である。
【考案を実施するための最良の形態】
【０００７】
本考案の好ましい実施例によると、本構造は、複数の吊り帯、複数の柱体、及び、複数の層板からなり、これらの吊り帯を層板に穿過し、柱体を吊り帯に組み合わせ、層板を支承して、吊り式収納棚を構成する。
【０００８】
図１で示されるように、吊り帯１の実施例は、軟質の第一帯１１Aと第二帯１１Bを対合させた後、縦向けの縫い線１５が帯の長さ方向両側を縫製し、横向けの縫い線４が帯の長さ方向に垂直に縫製されてなる。吊り帯１一側辺に複数の開口１２を形成し、開口１２の一辺は、縦向けの縫い線１５により縫合され、封閉端１３を形成する。柱体２は円柱体でも、多角柱体でもよい。柱体２は吊り帯１の開口１２内に完全に塞入され（図２）、第一帯１１Aと第二帯１１B自身の柔軟性質により、開口１２が自然に閉合し（図３）、柱体２が吊り帯１外面から見えないようにする。
【０００９】
層板３は任意の硬質材料、例えば、竹材、木材等からなる。本考案の実施例によると、層板３は方形の板体で、四隅にそれぞれ、上下に貫通する槽孔３１を有し、且つ、槽孔３１の内径は柱体２の直径より小さい。
【００１０】
本考案の直列組み合わせ時、吊り帯１が各層板３の同一位置の槽孔３１を穿過して、開口１２が層板３の下面に位置し（図４で示される）、更に、柱体２を一つずつ各開口１２内に塞入し、柱体２の直径が槽孔３１内径より大きい物理構造を利用して、層板３が下された後、吊り帯１内に被覆された柱体２で支承され（図５、図６）、複数層の置物空間を有する吊り式収納棚が完成する。この他、図７を参照すると、吊り式収納棚の最上端の層板３上方に、吊り帯１で吊り棒４に掛け吊りできる環状部分を形成する。吊り棒４は収納棚中の吊り掛け用の棒素子でも、その他の棒でもよい。
【００１１】
図８は、本考案の吊り帯１の第二実施例構造を示す図で、吊り帯１の一面に、長さ方向に沿って分布した複数の帯環１６と長孔１７を有し、長孔１７の長さは帯環１６の幅より大きく、帯環１６が長孔１７を穿過できるようになっている。このような構造により、吊り式収納棚を組み立てる時、吊り帯１が各層板３の槽孔３１を穿過後、まず、帯環１６が層板３の側辺を環繞して長孔１７に穿過し、帯環１６の端部が層板３の下方に位置し、その後、柱体２を帯環１６内に塞入して、柱体２により吊り帯１を固定し、層板３を下した後、層板３が柱体２に支承される（図９）。この他、図１０の第二実施例を参照すると、収納棚最上端の層板３上方は、吊り帯１で吊り棒４に掛け吊りできる環状を形成する。
【図面の簡単な説明】
【００１２】
【図１】本考案の吊り帯の第一実施例による構造で、柱体を組み合わせた立体分解図である。
【図２】図１の柱体を吊り帯内に組み合わせた実施例の立体図である。
【図３】図２の柱体を吊り帯内に組み合わせた後、吊り帯の開口が自然に閉合する状態を示す立体図である。
【図４】本考案の吊り帯が層板の槽孔を穿過し、且つ、柱体が吊り帯に装着されようとする状態を示す立体図である。
【図５】図４の柱体が吊り帯に装着された後の状態を示す立体図である。
【図６】本考案の柱体を吊り帯内に組み合わせ、層板を支承する状態を示す断面図である。
【図７】本考案の第一実施例による吊り帯構造により複数の層板を直列し、吊り棒に掛けた状態を示す立体図である。
【図８】本考案の吊り帯の第二実施例の構造で、柱体を装着しようとする状態を示す立体分解図である。
【図９】図８の吊り帯が層板の槽孔に穿過し、柱体が帯環に組み合わされて、層板を支承する状態を示す立体図である。
【図１０】本考案の第二実施例による吊り帯構造が複数の層板を直列し、吊り棒に掛けた状態を示す立体図である。
【符号の説明】
【００１３】
吊り帯１
柱体２
層板３
吊り棒４
軟質の第一帯１１Aと第二帯１１B
開口１２
封閉端１３
横向けの縫い線１４
縦向けの縫い線１５
帯環１６
長孔１７
槽孔３１
【図１】
0003148049.tif 000003
【図２】
0003148049.tif 000004
【図３】
0003148049.tif 000005
【図４】
0003148049.tif 000006
【図５】
0003148049.tif 000007
【図６】
0003148049.tif 000008
【図７】
0003148049.tif 000009
【図８】
0003148049.tif 000010
【図９】
0003148049.tif 000011
【図１０】
0003148049.tif 000012